(57)【要約】【課題】入賞口への遊技球の案内態様を電子制御により変更可能な遊技機を提供することを目的とする。【解決手段】遊技盤に設けられ、第１可動部材を有し、第１可動部材が第１所定位置にあるときに第１入賞口に遊技球が入球可能となる第１入賞装置と、遊技盤に設けられ、第１可動部材とは異なる可動態様の第２可動部材を有し、第２可動部材が第２所定位置にあるときに第２入賞口に遊技球が入球可能となる第２入賞装置とを備え、第１入賞装置及び第２入賞装置は、遊技盤上を転動してきた遊技球が第１入賞口又は第２入賞口へと第１可動部材又は第２可動部材によって振り分けられて案内される振り分け領域を有するように、配置される、遊技機が開示される。【選択図】図４
2020081080.tif 000002
【特許請求の範囲】
【請求項１】
遊技盤に設けられ、第１可動部材を有し、前記第１可動部材が第１所定位置にあるときに第１入賞口に遊技球が入球可能となる第１入賞装置と、
前記遊技盤に設けられ、前記第１可動部材とは異なる可動態様の第２可動部材を有し、前記第２可動部材が第２所定位置にあるときに第２入賞口に遊技球が入球可能となる第２入賞装置とを備え、
前記第１入賞装置及び前記第２入賞装置は、前記遊技盤上を転動してきた遊技球が前記第１入賞口又は前記第２入賞口へと前記第１可動部材又は前記第２可動部材によって振り分けられて案内される振り分け領域を有するように、配置される、遊技機。
【請求項２】
前記振り分け領域は、前記遊技盤を正面から視た際に、前記第１可動部材によって遊技球が前記第１入賞口へと案内される第１領域と、前記第２可動部材によって遊技球が前記第２入賞口へと案内される第２領域とが重なる部分である、請求項１に記載の遊技機。
【請求項３】
前記第１可動部材は、回転軸まわりに回転可能な開閉扉であり、前記第１所定位置は、開位置であり、
前記開閉扉が開位置にあるとき、前記振り分け領域では、遊技球が前記開閉扉に当たって前記第１入賞口へと案内される、請求項１又は２に記載の遊技機。
【請求項４】
前記第２可動部材が前記第２所定位置にあるとき、前記振り分け領域では、遊技球が前記第２可動部材によって前記第２入賞口へと直線状に案内される、請求項１〜３のうちのいずれか１項に記載の遊技機。
【請求項５】
前記第２可動部材は、前記第２所定位置へと並進移動可能又は回転可能である、請求項３又は４に記載の遊技機。
【請求項６】
前記第２入賞口は、前記遊技盤の表面に垂直な方向に対して交差する方向に開口し、
前記第２可動部材は、前記第２所定位置にあるときに、案内部位の一端が前記第２入賞口に隣接し、前記案内部位の他端が前記一端よりも高い位置にあり、前記振り分け領域内に至る遊技球を前記他端から前記一端へと案内可能である、請求項１〜５のうちのいずれか１項に記載の遊技機。
【請求項７】
前記第１入賞装置及び前記第２入賞装置は、特別遊技状態において開放状態とされる大入賞装置であり、
特別遊技の種別に応じて前記第１入賞装置及び前記第２入賞装置のうちの一方が開放状態とされる、請求項１〜６のうちのいずれか１項に記載の遊技機。
【請求項８】
前記第１入賞装置及び前記第２入賞装置は、特別遊技状態において開放状態とされる大入賞装置であり、
特別遊技状態において、所定のラウンドでは前記第１入賞装置が開放状態とされ、他のラウンドでは前記第２入賞装置が開放状態とされる、請求項１〜６のうちのいずれか１項に記載の遊技機。
【請求項９】
前記第１可動部材及び前記第２可動部材は、前記遊技盤を正面から視た際にそれぞれの可動領域が少なくとも部分的に重なるように、配置される、請求項１〜８のうちのいずれか１項に記載の遊技機。
【発明の詳細な説明】
【技術分野】
【０００１】
本発明は、遊技機に関する。
【背景技術】
【０００２】
大入賞装置内に入球した遊技球が傾斜面に接触することによって遊技球の進行方向が鉛直下方に変更される遊技機が知られている（例えば、特許文献１参照）。
【先行技術文献】
【特許文献】
【０００３】
【特許文献１】特開２０１７−９９４２６号公報
【発明の概要】
【発明が解決しようとする課題】
【０００４】
しかしながら、上記のような従来技術では、限られた遊技球の転動領域において複数の入賞装置（例えば大入賞装置や第２始動入賞装置）を効率的に配置することが難しい。
【０００５】
そこで、１つの側面では、本発明は、複数の入賞装置が効率的に配置された遊技機を提供することを目的とする。
【課題を解決するための手段】
【０００６】
１つの側面では、遊技盤に設けられ、第１可動部材を有し、前記第１可動部材が第１所定位置にあるときに第１入賞口に遊技球が入球可能となる第１入賞装置と、
前記遊技盤に設けられ、前記第１可動部材とは異なる可動態様の第２可動部材を有し、前記第２可動部材が第２所定位置にあるときに第２入賞口に遊技球が入球可能となる第２入賞装置とを備え、
前記第１入賞装置及び前記第２入賞装置は、前記遊技盤上を転動してきた遊技球が前記第１入賞口又は前記第２入賞口へと前記第１可動部材又は前記第２可動部材によって振り分けられて案内される振り分け領域を有するように、配置される、遊技機が提供される。
【発明の効果】
【０００７】
１つの側面では、本発明によれば、複数の入賞装置が効率的に配置された遊技機が得られる。
【図面の簡単な説明】
【０００８】
【図１】本発明の一実施例に係る遊技機を示す模式的正面図である。
【図２】図１の遊技機における遊技盤の盤面構成を示す模式的正面図である。
【図３】図１の遊技機の電気的構成を示すブロック図である。
【図４】実施例１による大入賞装置（閉止状態）を概略的に示す斜視図である。
【図５】実施例１による大入賞装置（第１開放状態）を概略的に示す斜視図である。
【図６Ａ】実施例１による大入賞装置（第２開放状態）を概略的に示す斜視図である。
【図６Ｂ】図６Ａに示す第２開放状態の上面視を示す図である。
【図６Ｃ】振り分け領域を概略的に示す説明図である。
【図６Ｄ】可動領域を概略的に示す説明図である。
【図７Ａ】実施例２による大入賞装置（閉止状態）を概略的に示す図である。
【図７Ｂ】実施例２による振り分け領域の説明図である。
【図８Ａ】図７ＡのラインＡ−Ａに沿った断面図（閉止状態）である。
【図８Ｂ】図７ＡのラインＡ−Ａに沿った断面図（第１開放状態）である。
【図８Ｃ】図７ＡのラインＡ−Ａに沿った断面図（第２開放状態）である。
【図９】図７ＡのラインＢ−Ｂに沿った断面図（閉止状態）である。
【図１０Ａ】実施例３による大入賞装置を概略的に示す図である。
【図１０Ｂ】実施例３による振り分け領域を概略的に示す説明図である。
【図１１Ａ】図１０ＡのラインＡ１−Ａ１に沿った断面図（閉止状態）である。
【図１１Ｂ】図１０ＡのラインＡ１−Ａ１に沿った断面図（第１開放状態）である。
【図１１Ｃ】図１０ＡのラインＡ１−Ａ１に沿った断面図（第２開放状態）である。
【図１１Ｄ】図１０ＡのラインＡ１−Ａ１に沿った断面図（第２開放状態の終了過程）である。
【発明を実施するための形態】
【０００９】
以下、添付図面を参照しながら各実施例について詳細に説明する。
【００１０】
［遊技機の構成］
遊技機１は、図１に示すように、正面側に前面枠２を備えている。図１には図示されていないが、遊技機１は、本体枠と、この本体枠の正面側に配設され、本体枠の側辺において回転可能に軸支される中枠とを備えており、前面枠２は、この中枠の正面側に配設され、中枠における本体枠に軸支される側の側辺で回転可能に軸支されている。前面枠２は、正面視（遊技盤１０の表面に垂直に視たビュー）で略長方形に形成されており、中央上部に透明な窓部２ａを有している。また、遊技機１は、中枠の正面側に後述する遊技盤１０を備えている。そして、前面枠２の窓部２ａを通して遊技盤１０が視認可能となっている。なお、以下では、遊技機１の正面に向かって左側（図面における左側）を単に左側とし、その逆側を右側としている。
【００１１】
前面枠２の中央頂部には、発光により演出を行うためのランプ３が設けられており、このランプ３の左右には、音響により演出を行うための一対の上部スピーカー４ａが設けられている。また、前面枠２の下部には、音響により演出を行うための左右一対の下部スピーカー４ｂが設けられている。
【００１２】
前面枠２の窓部２ａの下方には、貸し出される遊技球や払い出される遊技球を貯留するための上皿５が設けられており、この上皿５の下方には、上皿５が一杯になった際の余分な遊技球を貯留するための下皿６が設けられている。
【００１３】
前面枠２の右下部には、遊技球を遊技盤１０内に発射するための発射ハンドル７が設けられている。遊技機１では、遊技者が前面枠２の窓部２ａを通して遊技盤１０を目視しつつ発射ハンドル７を操作することによって遊技が進行する。また、上皿５の中央正面側の縁部には、演出を実行するための演出操作部８（例えば演出ボタン）が設けられており、遊技機１は、遊技者が遊技中の所定の演出タイミングにおいて演出操作部８を操作すると、所定の演出が実行されるように構成されている。
【００１４】
［遊技盤の構成］
遊技盤１０は、図２に示すように、正面側に遊技領域１０ａとセグメント表示領域１０ｂとを有しており、これらの領域は、前面枠２の窓部２ａを通して視認可能に形成されている。遊技領域１０ａは、遊技盤１０の中央の広い範囲に形成される一方、セグメント表示領域１０ｂは、遊技盤１０の右下部の狭い範囲に形成されている。
【００１５】
遊技盤１０は、遊技領域１０ａの略中央に液晶表示装置１１を備えている。液晶表示装置１１は、表示画面内に様々な演出画像を表示可能であり、遊技の進行に応じて様々な演出表示を行うように構成されている。また、遊技領域１０ａにおける液晶表示装置１１の周囲は、遊技球の流下領域となっており、遊技球は、この領域に配設される釘等によって移動方向を変化させながら流下する。
【００１６】
遊技領域１０ａの中央下部には、遊技領域１０ａを流下する遊技球を受入可能な第１始動口１２が設けられており、この第１始動口１２の内部には、第１始動口１２への遊技球の入球（入賞）を検出可能な第１始動口センサ１２ａが設けられている。遊技機１は、第１始動口１２への入球を検出すると、所定数の遊技球を上皿５へ払い出すとともに、第１特図に関する乱数値を取得するように構成されている。
【００１７】
第１始動口１２の下方には、第２始動口１３を備える第２始動入賞装置１３１が設けられており、この第２始動口１３の内部には、第２始動口１３への入球（入賞）を検出可能な第２始動口センサ１３ａが設けられている。遊技機１は、第２始動口１３への入球を検出すると、所定数の遊技球を上皿５へ払い出すとともに、第２特図に関する乱数値を取得するように構成されている。
【００１８】
遊技盤１０は、遊技領域１０ａの左側を流下する遊技球を第１始動口１２へ導きやすく、遊技領域１０ａの右側を流下する遊技球を第２始動口１３へ導きやすいように構成されている。
【００１９】
遊技領域１０ａの中央右部には、遊技領域１０ａを流下する遊技球が通過可能な作動ゲート１４が設けられており、この作動ゲート１４の内部には、作動ゲート１４を通過する遊技球を検出可能なゲートセンサ１４ａが設けられている。遊技機１は、作動ゲート１４において遊技球の通過を検出すると、普通図柄抽選を行うように構成されている。作動ゲート１４は、いわゆる右打ちの際に遊技球が通過しやすくなるように配置される。従って、普通図柄抽選は、後述の時短状態での右打ちの際に比較的に多く実行されることになる。なお、変形例では、作動ゲート１４と同様の機能を持つ作動ゲートが、作動ゲート１４と略左右対称の位置に設けられてもよい。
【００２０】
第１始動口１２は、遊技球を常に受入可能に構成されている。一方、第２始動口１３は、遊技球の入球しやすさが変化する可変式である。例えば、第２始動口１３は、図示しない開閉部材を備えており、この開閉部材を動作させる始動口ソレノイド１３ｂによって、遊技球を受入困難な閉止状態又は遊技球を受入可能な開放状態のいずれか一方に制御される。通常、第２始動口１３は、閉止状態に制御されているが、遊技機１は、作動ゲート１４において遊技球の通過を検出すると、普通図柄抽選によって第２始動口１３を開放状態に制御するか否かを決定する。
【００２１】
遊技領域１０ａの右中央部（作動ゲート１４よりも下側）には、Ｖ入賞用の大入賞口（いわゆるＶアタッカ）２１を備える大入賞装置２１１が設けられている。大入賞口２１は、例えば開閉扉２１０を備える。通常時には、Ｖ入賞用の大入賞口２１は、開閉扉２１０を動作させる第２大入賞口ソレノイド２１ｂにより閉止状態に制御されているが、大当り遊技状態における特定のラウンド（Ｖラウンド）において開放状態（図２では開放状態で図示）に制御される。また、Ｖ入賞用の大入賞口２１の内部にはＶ入賞用の大入賞口２１への入球（入賞）を検出可能な第２大入賞口センサ２１ａが設けられている。
【００２２】
また、Ｖ入賞用の大入賞口２１の内部には、特定領域２１２と非特定領域（図示せず）が設けられる。Ｖ入賞用の大入賞口２１の内部に入った遊技球は、可動片ソレノイド２１２ｂにより駆動可能な可動片（図示せず）によって、特定領域２１２及び非特定領域のいずれかを通るように振り分けられる。例えば、可動片が開放位置にあるときは、特定領域２１２を遊技球が通過可能とされ、可動片が閉塞位置にあるときは、非特定領域のみを遊技球が通過可能とされる（特定領域２１２を遊技球が通過困難又は通過不能とされる）。特定領域２１２には、特定領域２１２を通過する遊技球を検出する特定領域センサ２１２ａが設けられる。
【００２３】
遊技領域１０ａの右下部には、大入賞口１５−１、１５−２を備える大入賞装置１５１が設けられている。大入賞装置１５１は、大入賞口ソレノイド１５ｂ−１、１５ｂ−２により閉止状態に制御されているが、特別図柄乱数値を用いた大当り判定の結果に基づいて開放状態に制御される。また、大入賞口１５−１、１５−２の内部には、大入賞口１５−１、１５−２への入球（入賞）を検出可能な大入賞口センサ１５ａ−１、１５ａ−２がそれぞれ設けられている。遊技機１は、大入賞口１５−１、１５−２への入球を検出すると、所定数の遊技球を上皿５へ払い出すように構成されている。大入賞装置１５１の詳細は、後述する。
【００２４】
遊技領域１０ａの下端部には、遊技領域１０ａを流下した遊技球を遊技機１内へ回収するための左右一対のアウト口１６が設けられている。また、遊技領域１０ａの左部には、発射装置７ａにより下側から上側へ向けて発射される遊技球をガイドするための発射レール１７が設けられている。また、液晶表示装置１１の上方には、遊技機１を彩る装飾部材１８が設けられている。
【００２５】
遊技盤１０は、セグメント表示領域１０ｂに遊技に関する情報を表示するためのセグメント表示部５０を備えている。セグメント表示部５０は複数のＬＥＤを有しており、遊技機１は、これらのＬＥＤによる表示の組み合わせによって、第１特図に関する図柄変動表示、第２特図に関する図柄変動表示、第１特図に関する保留数表示、第２特図に関する保留数表示、大当り遊技状態における大当り遊技で実行可能なラウンド数の表示、普通図柄に関する図柄変動表示、普通図柄に関する保留数表示、第２始動口１３が開放状態に制御されやすい電サポ状態であるか否かを示す電サポ表示、及び遊技領域１０ａの右側への遊技球の発射を促すタイミングであることを示す右打ち表示を行うことができる。
【００２６】
［電気的構成］
遊技機１は、図３に示すように、遊技の制御を行う主制御基板１００と、遊技球の払い出し制御を行う払出制御基板３００と、主制御基板１００から送信される各種コマンドに基づいて演出制御を行う演出制御基板２００とを備えている。これらの基板は、ＣＰＵと記憶部とを備えており、これらのハードウェア資源を用いて所定の機能を実現する。
【００２７】
主制御基板１００には、演出制御基板２００及び払出制御基板３００に加えて、第１始動口センサ１２ａ、第２始動口センサ１３ａ、大入賞口センサ１５ａ−１、１５ａ−２、ゲートセンサ１４ａ、始動口ソレノイド１３ｂ、大入賞口ソレノイド１５ｂ−１、１５ｂ−２、第２大入賞口センサ２１ａ、特定領域センサ２１２ａ、及びセグメント表示部５０等が接続されている。なお、変形例では、主制御基板１００は、サブ制御基板（図示せず）に接続され、サブ制御基板に、第１始動口センサ１２ａ、第２始動口センサ１３ａ、大入賞口センサ１５ａ−１、１５ａ−２、ゲートセンサ１４ａ、始動口ソレノイド１３ｂ、大入賞口ソレノイド１５ｂ−１、１５ｂ−２、第２大入賞口センサ２１ａ、特定領域センサ２１２ａ、及びセグメント表示部５０等が接続されてもよい。この場合、主制御基板１００は、サブ制御基板を介して演出制御基板２００に接続されてもよい。
【００２８】
第１始動口センサ１２ａ、第２始動口センサ１３ａ、大入賞口センサ１５ａ−１、１５ａ−２、ゲートセンサ１４ａ、第２大入賞口センサ２１ａ、及び特定領域センサ２１２ａにより遊技球が検出されると、検出信号が主制御基板１００へ送信される。主制御基板１００は、いずれかのセンサから検出信号を受信すると、遊技の進行に応じた演算によりコマンド又は駆動信号を生成し、演出制御基板２００、払出制御基板３００、始動口ソレノイド１３ｂ、大入賞口ソレノイド１５ｂ−１、１５ｂ−２、第２大入賞口ソレノイド２１ｂ、可動片ソレノイド２１２ｂ、及びセグメント表示部５０等へ生成したコマンド又は駆動信号を送信する。
【００２９】
払出制御基板３００には、遊技球を発射するための発射装置７ａ、発射ハンドル７、図示しない遊技機１に併設される台間機、玉貸ボタン、払出装置等が接続されている。また、発射装置７ａには、遊技球を発射する発射モータや遊技者が発射ハンドル７に触れていることを検知するタッチスイッチが接続されている。払出制御基板３００は、主制御基板１００から送信される払出コマンドに基づく遊技球の払い出し制御や、発射ハンドル７の操作に基づく発射装置７ａへの遊技球の発射信号の送信処理等を実行する。
【００３０】
演出制御基板２００には、液晶表示装置１１、ランプ３、スピーカー４（上部スピーカー４ａ、下部スピーカー４ｂ）、演出操作部８等が接続されている。演出制御基板２００は、主制御基板１００から送信される各種コマンドを受信すると、各種コマンドの内容を解析し、液晶表示装置１１、ランプ３、上部スピーカー４ａ、下部スピーカー４ｂ、演出操作部８等を用いてコマンドの内容に応じた演出制御を行う。
【００３１】
［大入賞装置１５１の詳細］
次に、図４以降を参照して、上述した大入賞装置１５１に適用できるいくつかの実施例による大入賞装置の構成を説明する。なお、以下では、上述した大入賞装置１５１に適用できる構成を説明するが、上述した大入賞装置２１１に対しても同様に適用可能であるし、第２始動入賞装置１３１に対しても適用可能である。
【００３２】
以下では、原理の説明のため、非常に概略的な図を用いて説明する場合がある。以下、手前側とは、遊技盤１０に対して遊技者側を指す。また、以下の各実施例において、同様の構成要素については同一の参照符号を付して説明を省略する場合がある。
【００３３】
＜実施例１＞
図４から図６Ａは、実施例１による大入賞装置１５１Ａを概略的に示す斜視図である。図４は、第１入賞装置７０及び第２入賞装置８０がともに閉止状態である大入賞装置１５１Ａの閉止状態を示し、図５は、第１入賞装置７０が開放状態でありかつ第２入賞装置８０が閉止状態である大入賞装置１５１Ａの第１開放状態を示し、図６Ａは、第１入賞装置７０が閉止状態でありかつ第２入賞装置８０が開放状態である大入賞装置１５１Ａの第２開放状態を示す。図６Ｂは、図６Ａに示す第２開放状態の上面視を示す図である。図６Ｃは、振り分け領域の説明図であり、大入賞装置１５１Ａの正面図である。図６Ｄは、可動領域の重なりの説明図であり、大入賞装置１５１Ａの正面図である。
【００３４】
大入賞装置１５１Ａは、例えば遊技盤１０に取り付けられる。例えば、大入賞装置１５１Ａは、ベース部１５１１を備え、遊技盤１０の所定領域にベース部１５１１がネジ等により固定される。大入賞装置１５１Ａは、第１入賞装置７０と、第２入賞装置８０とを含む。
【００３５】
第１入賞装置７０及び第２入賞装置８０は、それぞれ別々の入賞装置であるが、図４に示すように、互いに対して近傍に配置される。すなわち、第１入賞装置７０及び第２入賞装置８０は、遊技盤１０における共通の所定領域内に設けられる。
【００３６】
第１入賞装置７０は、扉タイプの大入賞装置であり、大入賞口１５−１（第１入賞口の一例）（図５参照）と、開閉扉７１（第１可動部材の一例）とを有する。第１入賞装置７０は、それ自体は一般的な扉タイプの大入賞装置の構造と同じである。
【００３７】
大入賞口１５−１は、遊技盤１０の表面に対して垂直な方向に開口する入り口を有する。大入賞口１５−１の内部には、遊技球が通る通路（図示せず）が形成され、当該通路に大入賞口センサ１５ａ−１（図５等には図示せず）が設けられる。
【００３８】
開閉扉７１は、水平方向に延在する回転軸（図示せず）まわりに回転可能となるようにベース部１５１１に支持される。開閉扉７１は、大入賞口１５−１を閉止する閉位置と大入賞口１５−１を開放する開位置との間で、大入賞口ソレノイド１５ｂ−１（図３参照）により開閉駆動される。
【００３９】
第２入賞装置８０は、橋渡しタイプの大入賞装置であり、大入賞口１５−２（第２入賞口の一例）と、可動部材８２（第２可動部材の一例）とを有する。
【００４０】
大入賞口１５−２は、遊技盤１０の表面（開閉扉７１の手前側の表面）よりも手前側に突出する態様で設けられる。具体的には、大入賞口１５−２は、遊技盤１０に取り付けられる大入賞口形成部材９０により形成される。なお、大入賞口形成部材９０は、遊技盤１０の表面よりも奥側に延在する通路（遊技球が通る通路）を形成するが、図４等では、当該通路の一部の図示は省略されている。大入賞口１５−２は、遊技盤１０の表面（遊技領域１０ａの表面）に平行な方向（遊技盤１０の表面に垂直な方向に対して交差する方向の一例）に開口する入り口を有する。具体的には、大入賞口１５−２の開口の向きは、遊技盤１０の表面の平行であり、かつ、右向き（又は右斜め上向き）である。なお、変形例では、大入賞口１５−２の開口の向きは、遊技盤１０の表面に対してわずかに傾斜してもよい。
【００４１】
大入賞口１５−２の入り口近傍には、大入賞口センサ１５ａ−２が設けられる。大入賞口センサ１５ａ−２は、大入賞口１５−２の入り口に対して近いほどオーバーカウントを低減できる。なお、オーバーカウントとは、例えば大当り遊技状態において１ラウンドあたり９個の遊技球の入賞でラウンド終了条件が成立する場合、１ラウンドで１０個以上入賞することを意味する。
【００４２】
なお、本実施例では、一例として、大入賞口形成部材９０は、手前側カバー部９４を介して、右側の突出部材９６に接続されている。右側の突出部材９６は、大入賞口形成部材９０と同様に遊技盤１０の表面から手前側に突出する形態であり、右側から転動してくる遊技球のうちの、突出部材９６の上部よりも上側を通る遊技球は、第１入賞装置７０及び第２入賞装置８０への入球が可能となりうる。手前側カバー部９４は、遊技盤１０の表面（開閉扉７１の手前側の表面）よりも手前側に延在し、遊技盤１０の表面との間に、遊技球の直径以上の隙間を形成する（図６Ｂ参照）。
【００４３】
可動部材８２は、大入賞口１５−２に対して設けられ、図４及び図５に示す上方位置と、図６Ａに示す下方位置（第２所定位置の一例）との間で、大入賞口ソレノイド１５ｂ−２（図３参照）により駆動される。可動部材８２は、回転軸２８ａまわりに回転可能となるようにベース部１５１１に支持される。
【００４４】
図４に示すように、第１入賞装置７０及び第２入賞装置８０がともに閉止状態である大入賞装置１５１Ａの閉止状態では、開閉扉７１が閉位置とされ、かつ、可動部材８２が上方位置とされる。これにより、大入賞口１５−１、１５−２に遊技球が入球不能となる。例えば大入賞装置１５１Ａに対して右側から転動してくる遊技球（図４中のＲ１参照）は、遊技盤１０の表面に対して垂直方向で可動部材８２と開閉扉７１との間の隙間を介して、落下し（図４中のＲ２−１参照）、大入賞口１５−１、１５−２に入ることはできない。
【００４５】
図５に示すように、第１入賞装置７０が開放状態でありかつ第２入賞装置８０が閉止状態である大入賞装置１５１Ａの第１開放状態では、開閉扉７１が開位置（第１所定位置の一例）とされる。これにより、大入賞口１５−１に遊技球が入球可能となる（図５の矢印Ｒ３−１参照）。なお、図５の矢印Ｒ３−１は、開閉扉７１の奥側の表面に当たって大入賞口１５−１に入る遊技球の入球態様を示す。大入賞口１５−１に遊技球が入ると、遊技球は、大入賞口１５−１内の空間を形成する底部又は側部に形成される通路（図示せず）を通り、当該通路に設けられる大入賞口センサ１５ａ−１（図５では図示せず）により検知される。開閉扉７１は、第１開放状態を終了させる際に、開位置から閉位置へ駆動される。開閉扉７１が閉位置にあるとき、図４に示した大入賞装置１５１Ａの閉止状態となり、大入賞口１５−１に遊技球が入球不能となる。
【００４６】
なお、第１開放状態においては、大入賞口１５−１に遊技球が入ってから大入賞口センサ１５ａ−１（図５では図示せず）により検知されるまでの時間が比較的長くなるので、オーバーカウントが比較的発生しやすい入賞特性が実現される。
【００４７】
なお、図５に示す例では、大入賞装置１５１Ａの閉止状態では、可動部材８２は、上方位置に位置するが、開位置に至る開閉扉７１と可動部材８２との干渉を避けるために、下方位置や、上方位置と下方位置との間の中間位置に位置されてもよい。
【００４８】
図６Ａ及び図６Ｂに示すように、第１入賞装置７０が閉止状態でありかつ第２入賞装置８０が開放状態である大入賞装置１５１Ａの第２開放状態では、開閉扉７１が閉位置とされ、かつ、可動部材８２が下方位置とされる。これにより、大入賞口１５−２に遊技球が入球可能となる。
【００４９】
可動部材８２は、図６Ａ及び図６Ｂに示す下方位置にあるときに、大入賞口１５−２へと直線状に遊技球を導く。具体的には、可動部材８２は、直線状に延在する遊技球案内部位８２１を有する。遊技球案内部位８２１は、一端（左側端部）が大入賞口１５−２の下側縁部に左右方向で隣接し、他端（右側端部）が当該一端よりも高い位置にある。すなわち、遊技球案内部位８２１は、右側が左側よりも高くなる態様で傾斜する。傾斜角度は、任意であるが、大入賞口１５−２に到達する際の遊技球の速度が適切な値になるように適合される。遊技球案内部位８２１は、遊技球が大入賞口１５−２へとたどり着くための“橋（レール）”として機能できる。図示の例では、可動部材８２が下方位置にあるとき、遊技球案内部位８２１は、遊技盤１０の表面に対して垂直方向で、遊技盤１０の表面に対して所定距離Ｄ１だけ離れて、遊技盤１０の表面に対して平行に延在する。所定距離Ｄ１は、遊技球の直径よりも有意に小さい。なお、変形例では、遊技球案内部位８２１は、遊技盤１０の表面に対してわずかに傾斜して延在してもよい。
【００５０】
ここで、可動部材８２が下方位置にあるとき、遊技球案内部位８２１は、正面視で手前側カバー部９４よりも下側に位置し、手前側カバー部９４との間に隙間を形成するが、当該隙間は、遊技球が通過できない程度の隙間である。従って、遊技球は、遊技球案内部位８２１の上に乗って、遊技盤１０と手前側カバー部９４との間に形成されるスペースを通って、大入賞口１５−２へと導かれる（図６Ａ及び図６Ｂの矢印Ｒ４−２参照）。このようにして、遊技球案内部位８２１上に到達した遊技球（図６Ａの矢印Ｒ４−１参照）は、遊技球案内部位８２１から手前側にこぼれ落ちることなく、大入賞口１５−２へと導かれる。
【００５１】
可動部材８２は、第２開放状態を終了させる際に、図６Ａに示す下方位置から図４に示す上方位置へと速やかに駆動される。
【００５２】
可動部材８２は、図４に示す上方位置にあるときに、遊技球案内部位８２１が、遊技盤１０の表面に対して垂直方向で、遊技盤１０の表面に対して所定距離Ｄ２だけ離れて平行に延在する。所定距離Ｄ２は、遊技球の直径よりも有意に大きい。本実施例では、一例として、所定距離Ｄ２は、上面視で遊技盤１０と手前側カバー部９４との間の距離Ｄ２’（図６Ｂ参照）と略同じである。すなわち、可動部材８２が上方位置にあるとき、遊技球案内部位８２１は、手前側カバー部９４の下端かつ手前側縁部に当接する。従って、遊技球は、遊技球案内部位８２１と遊技盤１０の表面との間に到達しても、遊技球案内部位８２１と遊技盤１０の表面との間の空間から落下するので（図４の矢印Ｒ２−１参照）、大入賞口１５−２へと導かれることはない。すなわち、大入賞口１５−２に遊技球が入球不能となる。
【００５３】
なお、図４から図６Ａに示す例では、可動部材８２は、遊技球案内部位８２１の左側端部に接続される腕部８２２を有する。腕部８２２は、屈曲した形態であり、可動部材８２が図４に示す上方位置にあるときに、大入賞口１５−２を塞ぐように機能する。これにより、可動部材８２が図４に示す上方位置にあるときに、遊技球が大入賞口１５−２に偶発的に飛び込む可能性を無くすことができる。なお、腕部８２２に代えて、シャッタ（図示せず）等により大入賞口１５−２を塞いでもよいが、腕部８２２を利用することで機構の簡略を図ることができる。
【００５４】
なお、可動部材８２は、大当り遊技状態におけるあるラウンドにおいて、図４に示す下方位置にある状態で、例えば１ラウンドあたり９個の遊技球の入賞でラウンド終了条件が成立すると、即座に上方位置へと移動される。この際、遊技球案内部位８２１上に乗っている遊技球（これから大入賞口１５−２に到達しようとしている遊技球）は、遊技球案内部位８２１上から奥側（遊技球案内部位８２１と遊技盤１０の表面との間）にこぼれ落ちることになり、オーバーカウントが比較的発生しがたい入賞特性が実現される。
【００５５】
ところで、近年、遊技機においては、液晶表示装置１１のような液晶表示装置の大型化が進むことで、遊技球が転動可能な領域が少なくなってきている。従って、大入賞装置１５１Ａのような各種入賞装置の配置スペースが限定されてきている。
【００５６】
この点、本実施例によれば、大入賞装置１５１Ａは、上述のように、第１入賞装置７０及び第２入賞装置８０が互いに近傍に配置される。この際、第１入賞装置７０及び第２入賞装置８０は、遊技盤１０上を転動してきた遊技球が大入賞口１５−１又は大入賞口１５−２へと開閉扉７１又は可動部材８２によって振り分けられて案内される振り分け領域を有するように、配置される。図６Ｃには、正面視で、振り分け領域ＧＡ３が模式的に示される。図６Ｃにおいて、領域ＧＡ１（第１領域の一例）は、遊技球が開閉扉７１により大入賞口１５−１へと案内される領域を模式的に示し、領域ＧＡ２（第２領域の一例）は、遊技球が可動部材８２により大入賞口１５−２へと案内される領域を模式的に示し、振り分け領域ＧＡ３は、領域ＧＡ１と領域ＧＡ２とが重なる部分である。なお、各領域ＧＡ１〜ＧＡ３は、各大入賞口（大入賞口１５−１又は大入賞口１５−２）に案内されるときの各位置の遊技球を正面視方向で投影した領域（各位置の遊技球の投影領域を重ね合わせた領域）である。領域ＧＡ１に関して、最も上方の位置となる点Ｐ４１は、開放した状態（図５参照）の開閉扉７１の上辺に当たって大入賞口１５−１内に入るときの遊技球の最上方位置に応じて決まり、最も下方の位置となる点Ｐ４２は、開放した状態の開閉扉７１の裏面に当たって大入賞口１５−１内に入るときの遊技球の最下方位置に応じて決まる。領域ＧＡ２は、可動部材８２が下方位置（図６Ａ参照）にあるときの遊技球案内部位８２１に乗って移動する遊技球の軌跡に応じて決まる。すなわち、領域ＧＡ２は、遊技球案内部位８２１に乗って移動するときの遊技球の中心の軌跡を中心として、上下に遊技球の半径分だけ幅を有する領域である。なお、振り分け領域ＧＡ３は、正面視では平面状の領域であるが、遊技盤１０の表面に垂直な方向で奥行きを有する“振り分け空間”と捉えることもできる。
【００５７】
換言すると、第１入賞装置７０の開閉扉７１及び第２入賞装置８０の可動部材８２は、それぞれ、開位置及び下方位置にあるとき、遊技盤１０上を転動してきた遊技球に対して略同じ位置（振り分け領域ＧＡ３内の位置）から、大入賞口１５−１及び大入賞口１５−２へとそれぞれ案内する。「略同じ位置」とは、厳密に同じ位置である必要はなく、遊技球数個分程度のずれ（正面視でベース部１５１１の領域内でのずれ）を許容するものである。例えば、図５に示す矢印Ｒ３−１が付された遊技球の位置（正確にはその直後で開閉扉７１に当たる位置）と、図６Ａに示す矢印Ｒ４−２が付された遊技球の位置とは、略同じ位置である。図５に示す矢印Ｒ３−１が付された位置に至る遊技球は、その直後に、開位置にある開閉扉７１により大入賞口１５−１へと案内され、図６Ａに示す矢印Ｒ４−２が付された位置に至る遊技球は、下方位置にある可動部材８２により大入賞口１５−２へと案内される。
【００５８】
このようにして、本実施例によれば、第１入賞装置７０の開閉扉７１及び第２入賞装置８０の可動部材８２は、上述のように、転動してきた球技球に対して略同じ位置から、対応する入賞口（大入賞口１５−１又は大入賞口１５−２）へと案内可能であるので、第１入賞装置７０及び第２入賞装置８０は、同じように流れてくる遊技球に対して機能できる。具体的には、第１入賞装置７０及び第２入賞装置８０は、例えば図４から図６Ａにおいて矢印Ｒ１で示すようなルート（例えば右打ちしたときに主に生じるルート）で転動する遊技球に対して、機能できる。ここで、ある遊技球に対して機能できるとは、開放状態にあるときに当該遊技球が入球する可能性があることを意味する。例えば、第１入賞装置７０及び第２入賞装置８０は、結果として入球せずにこぼれ落ちる遊技球に対しても機能していることになる。従って、本実施例によれば、第１入賞装置７０及び第２入賞装置８０まわりの釘などの構成（遊技球の転動に係る構成）を複雑化することなく、右打ちされた遊技球に対して第１入賞装置７０及び第２入賞装置８０を選択的に機能させることができる。
【００５９】
以下、このように、転動してきた球技球に対して遊技盤１０上の略同じ位置から、対応する入賞口（大入賞口１５−１又は大入賞口１５−２）へと案内できるほど近接して第１入賞装置７０及び第２入賞装置８０が配置される構成を、単に「遊技盤１０上の略同じ位置で遊技球に対し選択的に機能できる近接配置構成」とも称する。
【００６０】
本実施例では、遊技盤１０上の略同じ位置で遊技球に対し選択的に機能できる近接配置構成を適切に実現するために、第１入賞装置７０の開閉扉７１と第２入賞装置８０の可動部材８２とは、図４から図６Ａの各図からわかるように、遊技盤１０を正面から視た際にそれぞれの可動領域が少なくとも部分的に重なるように、配置される。これにより、第１入賞装置７０及び第２入賞装置８０の２つを、それぞれ別々の離れた場所に配置する場合に比べて、省スペース化が実現される態様で効率的に配置できる。すなわち、実質的に１つの大入賞装置のためのスペースに、２つの入賞装置（第１入賞装置７０及び第２入賞装置８０）を配置できる。このような効果は、遊技球が転動可能な領域が限られた遊技機１において特に有用となる。なお、本明細書において、遊技盤１０を正面から視た際の、ある部材の可動領域とは、遊技盤１０を正面から視た際の当該部材の外形の範囲内の全体領域に対応する。具体的には、図６Ｄには、正面視で、可動領域の重複領域ＭＡ１３が模式的に示される。図６Ｄにおいて、領域ＭＡ１１は、開閉扉７１の可動領域を模式的に示し、領域ＭＡ１２は、可動部材８２の可動領域を模式的に示し、重複領域ＭＡ１３は、領域ＭＡ１１と領域ＭＡ１２とが重なる部分である。領域ＭＡ１１は、開閉扉７１の外形に対応する。領域ＭＡ１２は、可動範囲内の各位置の遊技球案内部位８２１を正面視方向で投影した領域（各位置の遊技球案内部位８２１の投影領域を重ね合わせた領域）である。
【００６１】
ところで、一般的に、大入賞装置や第２始動入賞装置が開放状態にあるときに、大入賞装置や第２始動入賞装置の入賞口への遊技球の入賞特性は、入賞装置のタイプにより決まる。入賞装置のタイプには、扉タイプの他、橋渡しタイプや、羽タイプ、スライドタイプ等があるが、入賞口への遊技球の入賞特性は、タイプごとに異なる。例えば、扉タイプは、オーバーカウントしやすく、遊技球がこぼれやすいのに対して、橋渡しタイプは、オーバーカウントしがたく、遊技球がこぼれがたい（入賞スピードが速い）。一般的に、設計の際に、一の入賞装置に対して、これらのうちのいずれか１つが選択されるのが通常である。
【００６２】
この点、実施例１によれば、実質的に１つの大入賞装置のためのスペースに、入賞特性の異なる２つの入賞装置（第１入賞装置７０及び第２入賞装置８０）を配置できる。これにより、例えば第１入賞装置７０及び第２入賞装置８０を使い分けることで、多様な入賞特性を実現でき、入賞率（出玉）を調整することも可能となる。
【００６３】
例えば、ある一の大当り遊技状態においては、第１入賞装置７０及び第２入賞装置８０のうちの選択された一方のみが作動されてもよい。この場合、大当り遊技ごとに第１入賞装置７０又は第２入賞装置８０を選択的に作動させることで、大当り消化の見せ方を変えることができる。この場合、第１入賞装置７０及び第２入賞装置８０のうちのいずれが選択されるかは、大当り種別に応じて決定されてもよい。例えば、大当り種別として、１６Ｒと８Ｒの大当り遊技がある場合、１６Ｒの大当り遊技では、ラウンド消化が比較的速い橋渡しタイプの第２入賞装置８０が選択され、８Ｒの大当り遊技では、ラウンド消化が比較的遅くかつオーバーカウントしやすい扉タイプの第１入賞装置７０が選択される。この場合、１６Ｒの大当り遊技ではない８Ｒの大当り遊技においても、遊技者が当たった感じを抱きやすくすることができる。あるいは、逆に、１６Ｒの大当り遊技では、ラウンド消化が比較的遅くかつオーバーカウントしやすい扉タイプの第１入賞装置７０が選択され、８Ｒの大当り遊技では、ラウンド消化が比較的速い橋渡しタイプの第２入賞装置８０が選択されてもよい。
【００６４】
あるいは、ある一の大当り遊技状態において、特定のラウンドでは、第１入賞装置７０及び第２入賞装置８０のうちの一方が作動され、他のラウンドでは、他方が作動されてもよい。この場合、ラウンドごとに第１入賞装置７０又は第２入賞装置８０を選択的に作動させることで、大当り消化の見せ方を変えることができる。また、第１入賞装置７０及び第２入賞装置８０に一方がＶ入賞用の大入賞装置を実現してもよい。この場合、上述した大入賞装置２１１が不要となり、更なる省スペース化を図ることができる。
【００６５】
＜実施例２＞
図７Ａから図９は、実施例２による大入賞装置１５１Ｂを概略的に示す図である。図７Ａは、第１入賞装置７０Ｂ及び第２入賞装置８０Ｂがともに閉止状態である大入賞装置１５１Ｂの閉止状態を示す正面図であり、図７Ｂは、実施例２による振り分け領域を概略的に示す説明図である。図８Ａは、図７ＡのラインＡ−Ａに沿った断面図であり、図８Ｂは、第１入賞装置７０Ｂが開放状態でありかつ第２入賞装置８０Ｂが閉止状態である大入賞装置１５１Ｂの第１開放状態におけるラインＡ−Ａに沿った断面図であり、図８Ｃは、第１入賞装置７０Ｂが閉止状態でありかつ第２入賞装置８０Ｂが開放状態である大入賞装置１５１Ｂの第２開放状態におけるラインＡ−Ａに沿った断面図である。図９は、図７ＡのラインＢ−Ｂに沿った断面図である。
【００６６】
大入賞装置１５１Ｂは、例えば遊技盤１０に取り付けられる。大入賞装置１５１Ｂは、第１入賞装置７０Ｂと、第２入賞装置８０Ｂとを含む。
【００６７】
第１入賞装置７０Ｂ及び第２入賞装置８０Ｂは、それぞれ別々の入賞装置であるが、図７Ａに示すように、互いに対して近傍に配置される。すなわち、第１入賞装置７０Ｂ及び第２入賞装置８０Ｂは、遊技盤１０における共通の所定領域内に設けられる。
【００６８】
第１入賞装置７０Ｂは、扉タイプの大入賞装置であり、大入賞口１５−１（第１入賞口の一例）と、開閉扉７１Ｂ（第１可動部材の一例）とを有する。開閉扉７１Ｂは、水平方向に延在する回転軸７１ａまわりに回転可能に支持される。第１入賞装置７０Ｂは、開閉扉７１Ｂの構成以外は、一般的な扉タイプの大入賞装置の構造と同じである。開閉扉７１Ｂは、大入賞口１５−１に対して設けられ、大入賞口ソレノイド１５ｂ−１により開閉駆動される。
【００６９】
開閉扉７１Ｂには、第２入賞装置８０Ｂの可動部材８２Ｂの手前側の端部が通過可能なスリット７２０を有する。なお、通過の方向（可動部材８２Ｂの移動方向）は、遊技盤１０の表面に対して垂直方向である。スリット７２０は、正面視で、可動部材８２Ｂの傾斜形状（正面視での傾斜形状）に対応して傾斜している。
【００７０】
第２入賞装置８０Ｂは、橋渡しタイプの大入賞装置であり、大入賞口１５−２（第２入賞口の一例）と、可動部材８２Ｂ（第２可動部材の一例）とを有する。また、第２入賞装置８０Ｂは、大入賞口１５−２が遊技盤１０の表面（開閉扉７１Ｂの手前側の表面）よりも手前側に突出する態様で設けられる。大入賞口１５−２は、大入賞口形成部材９０により形成される。大入賞口１５−２の開口の向きは、上述した実施例１と同様、右向き（又は右斜め上向き）である。
【００７１】
図７Ａから図９に示す例では、可動部材８２Ｂは、大入賞口１５−２に対して設けられ、図８Ａ又は図８Ｂに示す退避位置と、図８Ｃに示す突出位置（第２所定位置の一例）との間で大入賞口ソレノイド１５ｂ−２により駆動される。可動部材８２Ｂの移動方向は、遊技盤１０の表面に対して垂直方向である。退避位置にある可動部材８２Ｂは、手前側の端部がスリット７２０を通って開閉扉７１Ｂよりも手前側に突出することで、突出位置に至ることができる。突出位置にある可動部材８２Ｂは、手前側の端部がスリット７２０を通って開閉扉７１Ｂよりも奥側（第１入賞装置７０Ｂの大入賞口１５−１内の空間）に退避することで、退避位置へと至ることができる。
【００７２】
図８Ａに示すように、第１入賞装置７０Ｂ及び第２入賞装置８０Ｂがともに閉止状態である大入賞装置１５１Ｂの閉止状態では、開閉扉７１Ｂが閉位置とされ、かつ、可動部材８２Ｂが退避位置とされる。これにより、大入賞口１５−１、１５−２に遊技球が入球不能となる。
【００７３】
なお、図８Ａに示す例では、大入賞装置１５１Ｂの閉止状態において、可動部材８２Ｂの手前側の端部は、第１入賞装置７０Ｂの大入賞口１５−１内の空間に位置するが、これに限られない。例えば、可動部材８２Ｂが退避位置にあるとき、可動部材８２Ｂの手前側の端部は、第１入賞装置７０Ｂの大入賞口１５−１内の空間よりも奥側まで退避してもよい（図８Ｂ参照）。
【００７４】
図８Ｂに示すように、第１入賞装置７０Ｂが開放状態でありかつ第２入賞装置８０Ｂが閉止状態である大入賞装置１５１Ｂの第１開放状態では、開閉扉７１Ｂが開位置（第１所定位置の一例）とされる。これにより、大入賞口１５−１に遊技球が入球可能となる（図８Ｂの矢印Ｒ２参照）。大入賞口１５−１に遊技球が入ると、遊技球は、大入賞口１５−１内の底部又は側部に形成される通路（図８Ｂでは、底部に形成される通路１５５参照）を通り、当該通路に設けられる大入賞口センサ１５ａ−１により検知される。開閉扉７１Ｂは、第１開放状態を終了させる際に、図８Ａに示すように、開位置から閉位置へ駆動される。開閉扉７１Ｂが閉位置にあるとき、大入賞口１５−１に遊技球が入球不能となる。
【００７５】
なお、第１開放状態においては、可動部材８２Ｂは、図８Ｂに示すように、第１入賞装置７０Ｂの大入賞口１５−１内の空間よりも奥側まで退避される。これにより、第１入賞装置７０Ｂの大入賞口１５−１内に入った遊技球は通路１５５へと至ることができる。
【００７６】
なお、第１開放状態においては、大入賞口１５−１に遊技球が入ってから大入賞口センサ１５ａ−１により検知されるまでの時間が比較的長くなるので、オーバーカウントが比較的発生しやすい入賞特性が実現される。
【００７７】
図８Ｃに示すように、第１入賞装置７０Ｂが閉止状態でありかつ第２入賞装置８０Ｂが開放状態である大入賞装置１５１Ｂの第２開放状態では、開閉扉７１Ｂが閉位置とされ、かつ、可動部材８２Ｂが突出位置とされる。これにより、大入賞口１５−２に遊技球が入球可能となる。
【００７８】
可動部材８２Ｂは、図８Ｃに示す突出位置にあるときに、上面に乗る遊技球（図８Ｂの遊技球の絵参照）を大入賞口１５−２へと直線状に導く。具体的には、可動部材８２Ｂは、手前側の端部に直線状に延在する遊技球案内部位８２１Ｂを有する。遊技球案内部位８２１Ｂは、一端（左側端部）が大入賞口１５−２の下側縁部に左右方向で隣接し、他端（右側端部）が当該一端よりも高い位置にある。すなわち、遊技球案内部位８２１Ｂは、右側が左側よりも高くなる態様で傾斜する。傾斜角度は、任意であるが、大入賞口１５−２に到達する際の遊技球の速度が適切な値になるように適合される。遊技球案内部位８２１Ｂは、遊技球が大入賞口１５−２へとたどり着くための“橋”として機能できる。図示の例では、可動部材８２Ｂが突出位置にあるとき、遊技球案内部位８２１Ｂの手前側端部は、遊技盤１０の表面に対して垂直方向で、遊技盤１０の表面に対して（開閉扉７１Ｂに対して）所定距離Ｄ３だけ離れて平行に延在する。所定距離Ｄ３は、遊技球の直径よりも有意に大きい。遊技球は、遊技球案内部位８２１Ｂの上面を転動しながら、大入賞口１５−２へと導かれる。これにより、遊技球案内部位８２１Ｂ上に到達した遊技球が大入賞口１５−２へと導かれる。
【００７９】
遊技球案内部位８２１Ｂは、好ましくは、図８Ａから図８Ｃに示すように、幅が所定距離Ｄ５の凹溝８２３を有してもよい。凹溝８２３は、左右方向に延在し、遊技球の転動方向を規制するように機能する。所定距離Ｄ５は、上述のとおり、遊技球の直径よりも有意に小さい。この場合も、遊技球案内部位８２１Ｂ上に乗った遊技球が凹溝８２３に嵌りながら転動するので、遊技球案内部位８２１Ｂから手前側にこぼれ落ちる可能性を低減できる。なお、変形例では、本実施例２においても、上述した実施例１の手前側カバー部９４に対応する部位（遊技球案内部位８２１Ｂの手前側で、遊技盤１０の表面の平行に延在する部位）が設けられてもよい。この場合、遊技球案内部位８２１Ｂから手前側にこぼれ落ちる可能性を無くすことができる。
【００８０】
可動部材８２Ｂは、第２開放状態を終了させる際に、図８Ｃに示す突出位置から退避位置へと駆動される。
【００８１】
可動部材８２Ｂは、図８Ａに示す退避位置にあるときに、開閉扉７１Ｂよりも奥側に収容される。すなわち、可動部材８２Ｂは、第１入賞装置７０Ｂの大入賞口１５−１内に手前側端部が退避される。従って、この状態では、遊技球は、開閉扉７１Ｂの手前側に到達しても、開閉扉７１Ｂの手前側で落下するので、大入賞口１５−２へと導かれることはない。すなわち、大入賞口１５−２に遊技球が入球不能となる。なお、可動部材８２Ｂが退避位置にあるときに、遊技球が大入賞口１５−２に飛び込む可能性を低減するために、シャッタ（図示せず）等により大入賞口１５−２が塞がれてもよく、この場合、シャッタは、可動部材８２Ｂの移動に連動する態様で、可動部材８２Ｂに接続されてもよい。
【００８２】
なお、可動部材８２Ｂは、大当り遊技状態におけるあるラウンドにおいて、図８Ｃに示す突出位置にある状態で、１ラウンドあたり９個の遊技球の入賞でラウンド終了条件が成立すると、即座に退避位置へと移動される。この際、遊技球案内部位８２１Ｂ上に乗っている遊技球（大入賞口１５−２に到達していない）は、遊技球案内部位８２１Ｂ上から手前側にこぼれ落ちることになり、オーバーカウントが比較的発生しがたい入賞特性が実現される。
【００８３】
本実施例においても、上述のように、第１入賞装置７０Ｂ及び第２入賞装置８０Ｂが互いに近傍に配置される。この際、第１入賞装置７０Ｂ及び第２入賞装置８０Ｂは、遊技盤１０上を転動してきた遊技球が大入賞口１５−１又は大入賞口１５−２へと開閉扉７１Ｂ又は可動部材８２Ｂによって振り分けられて案内される振り分け領域ＧＡ３（図７Ｂ参照）を有するように、配置される。なお、図７Ｂにおいて、上述した実施例１と同様、領域ＧＡ１（第１領域の一例）は、遊技球が開閉扉７１Ｂにより大入賞口１５−１へと案内される領域を模式的に示し、領域ＧＡ２（第２領域の一例）は、遊技球が可動部材８２Ｂにより大入賞口１５−２へと案内される領域を模式的に示し、振り分け領域ＧＡ３は、領域ＧＡ１と領域ＧＡ２とが重なる部分である。換言すると、第１入賞装置７０Ｂの開閉扉７１Ｂ及び第２入賞装置８０Ｂの可動部材８２Ｂは、それぞれ、開位置及び下方位置にあるとき、遊技盤１０上を転動してきた遊技球に対して略同じ位置（振り分け領域ＧＡ３内の位置）から、大入賞口１５−１及び大入賞口１５−２へとそれぞれ案内する（図８Ｂ及び図８Ｃ参照）。すなわち、本実施例においても、遊技盤１０上の略同じ位置で遊技球に対し選択的に機能できる近接配置構成が実現される。具体的には、第１入賞装置７０Ｂの開閉扉７１Ｂと第２入賞装置８０Ｂの可動部材８２Ｂとは、図７Ａから図８Ｃからわかるように、遊技盤１０を正面から視た際にそれぞれの可動領域が少なくとも部分的に重なるように、配置される。
【００８４】
従って、本実施例によっても、上述した実施例１と同様の効果が得られる。例えば、第１入賞装置７０Ｂ及び第２入賞装置８０Ｂの２つを、それぞれ別々の離れた場所に配置する場合に比べて、省スペース化が実現される態様で効率的に配置できる。すなわち、実質的に１つの大入賞装置のためのスペースに、２つの入賞装置（第１入賞装置７０Ｂ及び第２入賞装置８０Ｂ）を効率的に配置できる。
【００８５】
なお、上述した実施例２では、大入賞口１５−１内の底部に、遊技球が通る通路１５５が形成されるが、これに限られない。例えば、大入賞口１５−１内の側部に遊技球が通る通路が形成されてもよい。この場合、当該通路は、大入賞口形成部材９０に形成されてもよく、この場合、大入賞口１５−２用の通路と一部が共通化されてもよい。この場合、第１開放状態においては、可動部材８２Ｂは、図８Ａに示す手前側の退避位置よりもわずかに手前側（例えば開閉扉７１Ｂの当たる直前の位置）に位置されてもよい。この場合、大入賞口１５−１内に入った遊技球は、可動部材８２Ｂ上を転動しながら大入賞口センサ１５ａ−１に向かうことができる。
【００８６】
＜実施例３＞
図１０Ａから図１１Ｄは、実施例３による大入賞装置１５１Ｃを概略的に示す図である。図１０Ａは、第１入賞装置７０Ｃ及び第２入賞装置８０Ｃがともに閉止状態である大入賞装置１５１Ｃの閉止状態を示す正面図であり、図１０Ｂは、実施例３による振り分け領域を概略的に示す説明図である。図１１Ａは、図１０ＡのラインＡ１−Ａ１に沿った断面図であり、図１１Ｂは、第１入賞装置７０Ｃが開放状態でありかつ第２入賞装置８０Ｃが閉止状態である大入賞装置１５１Ｃの第１開放状態におけるラインＡ１−Ａ１に沿った断面図であり、図１１Ｃは、第１入賞装置７０Ｃが閉止状態でありかつ第２入賞装置８０Ｃが開放状態である大入賞装置１５１Ｃの第２開放状態におけるラインＡ１−Ａ１に沿った断面図である。また、図１１Ｄは、第２開放状態の終了直後におけるラインＡ１−Ａ１に沿った断面図である。
【００８７】
大入賞装置１５１Ｃは、例えば遊技盤１０に取り付けられる。本実施例では、大入賞装置１５１Ｃは、後述の開閉扉７１Ｃの表面が遊技盤１０の基本表面（遊技領域１０ａの基本表面）に対して略面一になるように、遊技盤１０の基本表面から奥側に凹んだ凹部（例えば第１始動口１２の上方のステージ部等）を利用して配置される。
【００８８】
大入賞装置１５１Ｃは、第１入賞装置７０Ｃと、第２入賞装置８０Ｃとを含む。本実施例では、大入賞口１５−１、１５−２に係る大入賞口センサ１５ａ−１、１５ａ−２は、共通であり、大入賞口形成部材９０内の一の大入賞口センサ１５ａ−２により実現される。すなわち、本実施例では、大入賞口センサ１５ａ−１は省略される。
【００８９】
第１入賞装置７０Ｃ及び第２入賞装置８０Ｃは、それぞれ別々の入賞装置であるが、図１０Ａに示すように、互いに対して近傍に配置される。すなわち、第１入賞装置７０Ｃ及び第２入賞装置８０Ｃは、遊技盤１０における共通の所定領域内に設けられる。
【００９０】
第１入賞装置７０Ｃは、扉タイプの大入賞装置であり、大入賞口１５−１（第１入賞口の一例）と、開閉扉７１Ｃ（第１可動部材の一例）とを有する。開閉扉７１Ｃは透明な部材により形成される。開閉扉７１Ｃは、水平方向に延在する回転軸７１ａまわりに回転可能に支持される。例えば、開閉扉７１Ｃは、後述の突出部材７６に回転可能に支持される。第１入賞装置７０Ｃは、開閉扉７１Ｃの開閉機構等については、一般的な扉タイプの大入賞装置の構造と同じである。開閉扉７１Ｃは、大入賞口１５−１に対して設けられ、大入賞口ソレノイド１５ｂ−１により開閉駆動される。
【００９１】
開閉扉７１Ｃの上側には、大入賞口１５−１の内部空間を上側から仕切る天蓋部材７４が設けられる。天蓋部材７４は、大入賞口１５−１の横方向全体にわたり延在する。天蓋部材７４は、手前側端部が開閉扉７１Ｃの上端付近に位置する突出位置と、手前側端部が遊技盤１０の表面よりも奥側に退避する退避位置との間で駆動される。なお、天蓋部材７４は、ソレノイド（図示せず）により駆動される。
【００９２】
天蓋部材７４が突出位置にあるときは、大入賞口１５−１の内部空間の上側が閉塞される。天蓋部材７４は、図１１Ａ等に示すように、好ましくは上面が手前側に向かうほど下方に向かう態様で傾斜する。これにより、開閉扉７１Ｃの開放状態（図１１Ｂ参照）において、天蓋部材７４上に至る遊技球を効率的に大入賞口１５−１内へと落下させることができる。他方、天蓋部材７４が退避位置にあるときは、大入賞口１５−１の内部空間の上側が開放されることで、天蓋部材７４の下方への遊技球の落下が可能となる。
【００９３】
開閉扉７１Ｃの下側には、大入賞口１５−１の内部空間を下側から仕切る底面部材７５が設けられる。底面部材７５は、大入賞口１５−１の横方向全体にわたり延在する。底面部材７５は、手前側端部が開閉扉７１Ｃの下端付近に位置する突出位置と、手前側端部が遊技盤１０の表面よりも奥側に退避する退避位置との間で駆動される。なお、底面部材７５は、ソレノイド（図示せず）により駆動される。
【００９４】
底面部材７５が突出位置にあるときは、大入賞口１５−１の内部空間の下側が閉塞される。他方、底面部材７５が退避位置にあるときは、底面部材７５が突出位置にあるときに延在する領域は、空間となり、当該空間に至る遊技球は落下する。
【００９５】
大入賞口１５−１の内部空間は、左側は大入賞口形成部材９０により塞がれ、右側は、大入賞口形成部材９０と同様に遊技盤１０の表面から手前側に突出する形態の突出部材７６により塞がれる。従って、図１１Ａに示す大入賞装置１５１Ｃの閉止状態では、大入賞口１５−１の内部空間に遊技球が入ることはない。
【００９６】
このようにして、本実施例では、大入賞口１５−１の内部空間は、突出位置にある天蓋部材７４と、突出位置にある底面部材７５と、大入賞口形成部材９０と、突出部材７６とにより、遊技盤１０の表面よりも手前側に形成される。
【００９７】
第２入賞装置８０Ｃは、橋渡しタイプの大入賞装置であり、大入賞口１５−２（第２入賞口の一例）と、可動部材８２Ｃ（第２可動部材の一例）とを有する。
【００９８】
大入賞口１５−２は、大入賞口形成部材９０に形成される。大入賞口形成部材９０は、遊技盤１０の表面よりも手前側に突出する態様で設けられる。大入賞口１５−２の開口の向きは、上述した実施例１と同様、右向き（又は右斜め上向き）である。
【００９９】
図１０Ａから図１１Ｄに示す例では、可動部材８２Ｃは、図１１Ｃに示す退避位置と、図１１Ｂに示す突出位置（第２所定位置の一例）との間で可動である。可動部材８２Ｃは、大入賞口１５−２に対して設けられ、大入賞口ソレノイド１５ｂ−２により駆動される。
【０１００】
図１１Ａに示すように、第１入賞装置７０Ｃ及び第２入賞装置８０Ｃがともに閉止状態である大入賞装置１５１Ｃの閉止状態では、天蓋部材７４及び底面部材７５は、突出位置とされ、かつ、開閉扉７１Ｃが閉位置とされる。これにより、大入賞口１５−１、１５−２への遊技球が入球不能となる。なお、大入賞装置１５１Ｃの閉止状態では、可動部材８２Ｃは、退避位置に位置するが、突出位置に位置してもよい。
【０１０１】
図１１Ｂに示すように、第１入賞装置７０Ｃが開放状態でありかつ第２入賞装置８０Ｃが閉止状態である大入賞装置１５１Ｃの第１開放状態では、天蓋部材７４及び底面部材７５が突出位置とされ、開閉扉７１Ｃが開位置（第１所定位置の一例）とされ、かつ、可動部材８２Ｃが退避位置とされる。これにより、大入賞口１５−１に遊技球が入球可能となる。大入賞口１５−１に遊技球が入ると、遊技球は、左側の大入賞口形成部材９０へと流れて、大入賞口形成部材９０内の大入賞口センサ１５ａ−２（図示せず）により検知される。すなわち、大入賞口１５−１に遊技球が入ると、遊技球は、底面部材７５上を転がり左側の大入賞口形成部材９０へと流れて、大入賞口形成部材９０内の大入賞口センサ１５ａ−２（図示せず）により検知される。なお、底面部材７５は、左側の大入賞口形成部材９０への遊技球の流れを促進するような傾斜面を有してもよい。
【０１０２】
なお、変形例では、第１開放状態では、天蓋部材７４及び底面部材７５が突出位置とされ、開閉扉７１Ｃが開位置とされ、かつ、可動部材８２Ｃが突出位置とされてもよい。この場合、可動部材８２Ｃは、開閉扉７１Ｃに近接するような更なる突出位置とされてもよい。大入賞口１５−１に遊技球が入ると、遊技球は、可動部材８２Ｃの上に乗って左側の大入賞口形成部材９０へと流れて、大入賞口形成部材９０内の大入賞口センサ１５ａ−２（図示せず）により検知される。なお、このような変形例による第１開放状態では、底面部材７５が退避位置とされてもよい。
【０１０３】
なお、第１開放状態においては、大入賞口１５−１に遊技球が入ってから大入賞口形成部材９０内の大入賞口センサ１５ａ−２（図示せず）により検知されるまでの時間が比較的長くなるので、オーバーカウントが比較的発生しやすい入賞特性が実現される。
【０１０４】
図１１Ｃに示すように、第１入賞装置７０Ｃが閉止状態でありかつ第２入賞装置８０Ｃが開放状態である大入賞装置１５１Ｃの第２開放状態では、天蓋部材７４及び底面部材７５が退避位置とされ、開閉扉７１Ｃが閉位置とされ、かつ、可動部材８２Ｃが突出位置とされる。これにより、大入賞口１５−２に遊技球が入球可能となる。具体的には、突出部材７６に対して右側から転動してくる遊技球は、突出部材７６の上側を通って左側へと流れ、可動部材８２Ｃの上に至ることができる。そして、可動部材８２Ｃの上に至った遊技球は、可動部材８２Ｃの上を左側の大入賞口１５−２（大入賞口形成部材９０）へと転動して、大入賞口形成部材９０内の大入賞口センサ１５ａ−２（図示せず）により検知される。なお、このような可動部材８２Ｃの上の遊技球の動きを開閉扉７１Ｃを通して遊技者が見えるように、開閉扉７１Ｃは透明な部材により形成される。
【０１０５】
可動部材８２Ｃは、図１１Ｃに示す突出位置にあるときに、大入賞口１５−２へと直線状に遊技球を導く。具体的には、可動部材８２Ｃは、手前側の端部に直線状に延在する遊技球案内部位８２１Ｃを有する。遊技球案内部位８２１Ｃは、一端（左側端部）が大入賞口１５−２の下側縁部に左右方向で隣接し、他端（右側端部）が当該一端よりも高い位置にある。すなわち、遊技球案内部位８２１Ｃは、右側が左側よりも高くなる態様で傾斜する。傾斜角度は、任意であるが、大入賞口１５−２に到達する際の遊技球の速度が適切な値になるように適合される。遊技球案内部位８２１Ｃは、遊技球が大入賞口１５−２へとたどり着くための“橋”として機能できる。図示の例では、可動部材８２Ｃが突出位置にあるとき、遊技球案内部位８２１Ｃの手前側端部は、遊技盤１０の表面に対して垂直方向で、遊技盤１０の表面から所定距離Ｄ３だけ離れて平行に延在する。所定距離Ｄ３は、遊技球の直径よりも有意に大きい。従って、遊技球は、遊技球案内部位８２１Ｃの上面を転動しながら、大入賞口１５−２へと導かれる。これにより、遊技球案内部位８２１Ｃ上に到達した遊技球が大入賞口１５−２へと導かれる。
【０１０６】
なお、第２開放状態では、図１１Ｃに示すように、開閉扉７１Ｃが開位置とされるので、遊技球案内部位８２１Ｃ上に乗った遊技球が遊技球案内部位８２１Ｃから手前側にこぼれ落ちる可能性を低減できる。なお、変形例では、遊技球案内部位８２１Ｃは、上述した実施例２のように幅が所定距離Ｄ５の凹溝を有してもよい。当該凹溝は、左右方向に延在し、遊技球の転動方向を規制するように機能する。この場合も、遊技球案内部位８２１Ｃ上に乗った遊技球が遊技球案内部位８２１Ｃから手前側にこぼれ落ちる可能性を低減できる。
【０１０７】
図１１Ｄに示すように、可動部材８２Ｃは、第２開放状態を終了させる際に、図１１Ｂに示す突出位置から退避位置へと駆動される。従って、可動部材８２Ｃが退避位置に位置するときは、遊技球は、突出位置にあるときの可動部材８２Ｃの延在領域に到達しても、落下するので（図１１Ｄの矢印Ｒ４参照）、大入賞口１５−２へと導かれることはない。すなわち、大入賞口１５−２に遊技球が入球不能となる。なお、可動部材８２Ｃが退避位置にあるときに、遊技球が大入賞口１５−２に飛び込む可能性を低減するために、シャッタ（図示せず）等により大入賞口１５−２が塞がれてもよく、この場合、シャッタは、可動部材８２Ｃの移動に連動する態様で、可動部材８２Ｃに接続されてもよい。
【０１０８】
なお、可動部材８２Ｃは、大当り遊技状態におけるあるラウンドにおいて、図１１Ｂに示す突出位置にある状態で、１ラウンドあたり９個の遊技球の入賞でラウンド終了条件が成立すると、即座に退避位置へと移動される。この際、遊技球案内部位８２１Ｃ上に乗っている遊技球（大入賞口１５−２に到達していない）は、遊技球案内部位８２１Ｃ上から手前側にこぼれ落ちることになり、オーバーカウントが比較的発生しがたい入賞特性が実現される。
【０１０９】
そして、その後、図１１Ａに示す大入賞装置１５１Ｃの閉止状態に戻る際には、天蓋部材７４が突出位置へ駆動され、次いで、底面部材７５が突出位置へ駆動される。
【０１１０】
本実施例においても、上述のように、第１入賞装置７０Ｃ及び第２入賞装置８０Ｃが互いに近傍に配置される。この際、第１入賞装置７０Ｃ及び第２入賞装置８０Ｃは、遊技盤１０上を転動してきた遊技球が大入賞口１５−１又は大入賞口１５−２へと開閉扉７１Ｃ又は可動部材８２Ｃによって振り分けられて案内される振り分け領域を有するように、配置される。なお、図１０Ｂにおいて、上述した実施例１と同様、領域ＧＡ１（第１領域の一例）は、遊技球が開閉扉７１Ｃにより大入賞口１５−１へと案内される領域を模式的に示し、領域ＧＡ２（第２領域の一例）は、遊技球が可動部材８２Ｃにより大入賞口１５−２へと案内される領域を模式的に示し、振り分け領域ＧＡ３は、領域ＧＡ１と領域ＧＡ２とが重なる部分である。換言すると、第１入賞装置７０Ｃの開閉扉７１Ｃ及び第２入賞装置８０Ｃの可動部材８２Ｃは、それぞれ、開位置及び下方位置にあるとき、遊技盤１０上を転動してきた遊技球に対して略同じ位置（振り分け領域内の位置）から、大入賞口１５−１及び大入賞口１５−２へとそれぞれ案内する（図１１Ｂ及び図１１Ｃ参照）。すなわち、本実施例においても、遊技盤１０上の略同じ位置で遊技球に対し選択的に機能できる近接配置構成が実現される。具体的には、第１入賞装置７０Ｃの開閉扉７１Ｃと第２入賞装置８０Ｃの可動部材８２Ｃとは、図１０Ａから図１１Ｄからわかるように、遊技盤１０を正面から視た際にそれぞれの可動領域が少なくとも部分的に重なるように、配置される。
【０１１１】
本実施例によっても、上述した実施例１と同様の効果が得られる。例えば、第１入賞装置７０Ｃ及び第２入賞装置８０Ｃの２つを、それぞれ別々の離れた場所に配置する場合に比べて、省スペース化が実現される態様で効率的に配置できる。すなわち、実質的に１つの大入賞装置のためのスペースに、２つの入賞装置（第１入賞装置７０Ｃ及び第２入賞装置８０Ｃ）を効率的に配置できる。
【０１１２】
以上、各実施例について詳述したが、特定の実施例に限定されるものではなく、特許請求の範囲に記載された範囲内において、種々の変形及び変更が可能である。また、前述した実施例の構成要素を全部又は複数を組み合わせることも可能である。
【０１１３】
なお、以上の実施例に関し、さらに以下の付記を開示する。
【０１１４】
（付記１）
遊技盤に設けられ、第１可動部材を有し、前記第１可動部材が第１所定位置にあるときに第１入賞口に遊技球が入球可能となる第１入賞装置と、
前記遊技盤に設けられ、前記第１可動部材とは異なる可動態様の第２可動部材を有し、前記第２可動部材が第２所定位置にあるときに第２入賞口に遊技球が入球可能となる第２入賞装置とを備え、
前記第１入賞装置及び前記第２入賞装置は、前記遊技盤上を転動してきた遊技球が前記第１入賞口又は前記第２入賞口へと前記第１可動部材又は前記第２可動部材によって振り分けられて案内される振り分け領域を有するように、配置される、遊技機。
【０１１５】
本遊技機によれば、第１入賞装置及び第２入賞装置が振り分け領域を有するように配置されるので、かかる振り分け領域を有さない場合に比べて第１入賞装置及び第２入賞装置の効率的な配置を実現できる。
【０１１６】
（付記２）
前記振り分け領域は、前記遊技盤を正面から視た際に、前記第１可動部材によって遊技球が前記第１入賞口へと案内される第１領域と、前記第２可動部材によって遊技球が前記第２入賞口へと案内される第２領域とが重なる部分である、付記１に記載の遊技機。
【０１１７】
本遊技機によれば、振り分け領域を適切に設定できる。
【０１１８】
（付記３）
前記第１可動部材は、回転軸まわりに回転可能な開閉扉であり、前記第１所定位置は、開位置であり、
前記開閉扉が開位置にあるとき、前記振り分け領域では、遊技球が前記開閉扉に当たって前記第１入賞口へと案内される、付記１又は２に記載の遊技機。
【０１１９】
本遊技機によれば、扉タイプの入賞装置（第１入賞装置）を利用して、第１入賞装置及び第２入賞装置を効率的に配置できる。
【０１２０】
（付記４）
前記第２可動部材が前記第２所定位置にあるとき、前記振り分け領域では、遊技球が前記第２可動部材によって前記第２入賞口へと直線状に案内される、付記１〜３のいずれかに記載の遊技機。
【０１２１】
本遊技機によれば、第２入賞口へと直線状に遊技球を導くことで、比較的スピーディーかつオーバーカウントが生じがたい入賞特性を容易に実現できる。
【０１２２】
（付記５）
前記第２可動部材は、前記第２所定位置へと並進移動可能又は回転可能である、付記３又は４に記載の遊技機。
【０１２３】
本遊技機によれば、並進移動機構又は回転機構を利用して第２所定位置へと第２可動部材を駆動できる。
【０１２４】
（付記６）
前記第２入賞口は、前記遊技盤の表面に垂直な方向に対して交差する方向に開口し、
前記第２可動部材は、前記第２所定位置にあるときに、案内部位の一端が前記第２入賞口に隣接し、前記案内部位の他端が前記一端よりも高い位置にあり、前記振り分け領域内に至る遊技球を前記他端から前記一端へと案内可能である、付記１〜５のうちのいずれか１項に記載の遊技機。
【０１２５】
本遊技機によれば、重力を利用した遊技球の動きを利用して直線状に第２入賞口へと遊技球を導くことができる。
【０１２６】
（付記７）
前記第１入賞装置及び前記第２入賞装置は、特別遊技状態において開放状態とされる大入賞装置であり、
特別遊技の種別に応じて前記第１入賞装置及び前記第２入賞装置のうちの一方が開放状態とされる、付記１〜６のうちのいずれか１項に記載の遊技機。
【０１２７】
本遊技機によれば、特別遊技の種別に応じて特別遊技の見せ方を変えることができる。
【０１２８】
（付記８）
前記第１入賞装置及び前記第２入賞装置は、特別遊技状態において開放状態とされる大入賞装置であり、
特別遊技状態において、所定のラウンドでは前記第１入賞装置が開放状態とされ、他のラウンドでは前記第２入賞装置が開放状態とされる、付記１〜６のうちのいずれか１項に記載の遊技機。
【０１２９】
本遊技機によれば、ラウンドの相違に応じてラウンド消化の見せ方を変えることができる。
【０１３０】
（付記９）
前記第１可動部材及び前記第２可動部材は、前記遊技盤を正面から視た際にそれぞれの可動領域が少なくとも部分的に重なるように、配置される、付記１に記載の遊技機。
【０１３１】
本遊技機によれば、２つの第１可動部材及び第２可動部材が、遊技盤を正面から視た際にそれぞれの可動領域が少なくとも部分的に重なる態様で近接して配置されるので、第１入賞装置及び第２入賞装置を効率的に配置できる。
【符号の説明】
【０１３２】
１  遊技機
２  前面枠
２ａ  窓部
３  ランプ
４  スピーカー
４ａ  上部スピーカー
４ｂ  下部スピーカー
５  上皿
６  下皿
７  発射ハンドル
７ａ  発射装置
８  演出操作部
１０  遊技盤
１０ａ  遊技領域
１０ｂ  セグメント表示領域
１１  液晶表示装置
１２  第１始動口
１２ａ  第１始動口センサ
１３  第２始動口
１３ａ  第２始動口センサ
１３ｂ  始動口ソレノイド
１４  作動ゲート
１４ａ  ゲートセンサ
１５−１，１５−２  大入賞口
１５ａ−１，１５ａ−２  大入賞口センサ
１５ｂ−１，１５ｂ−２  大入賞口ソレノイド
１６  アウト口
１７  発射レール
１８  装飾部材
５０  セグメント表示部
１００  主制御基板
２００  演出制御基板
３００  払出制御基板
【図１】
2020081080.tif 000003
【図２】
2020081080.tif 000004
【図３】
2020081080.tif 000005
【図４】
2020081080.tif 000006
【図５】
2020081080.tif 000007
【図６Ａ】
2020081080.tif 000008
【図６Ｂ】
2020081080.tif 000009
【図６Ｃ】
2020081080.tif 000010
【図６Ｄ】
2020081080.tif 000011
【図７Ａ】
2020081080.tif 000012
【図７Ｂ】
2020081080.tif 000013
【図８Ａ】
2020081080.tif 000014
【図８Ｂ】
2020081080.tif 000015
【図８Ｃ】
2020081080.tif 000016
【図９】
2020081080.tif 000017
【図１０Ａ】
2020081080.tif 000018
【図１０Ｂ】
2020081080.tif 000019
【図１１Ａ】
2020081080.tif 000020
【図１１Ｂ】
2020081080.tif 000021
【図１１Ｃ】
2020081080.tif 000022
【図１１Ｄ】
2020081080.tif 000023